(57)【特許請求の範囲】
【請求項１】
２つの部品を解除可能に互いに連結するクロージャ装置（１）であって、
−剛体である第１の係止突起（２１０）を有する第１のクロージャ部材（２）と、
−前記第１のクロージャ部材（２）に取付可能であり、閉止位置では前記第１のクロージャ部材（２）に保持され、かつ、剛体である第２の係止突起（３０４）を有するものであり、前記第２の係止突起（３０４）は、前記第１の係止突起（２１０）と係合方向（Ｅ）に係合可能であると共に、前記閉止位置において前記第１の係止突起（２１０）とポジティブ・ロック機構によって係合する、第２のクロージャ部材（３）と、を備え、
−前記第１のクロージャ部材（２）が第１の磁性部材（２３，２３Ａ，２３Ｂ）を含み、前記第２のクロージャ部材（３）が第２の磁性部材（３３，３３Ａ，３３Ｂ）を含み、前記第１の磁性部材（２３，２３Ａ，２３Ｂ）および前記第２の磁性部材（３３，３３Ａ，３３Ｂ）は、前記クロージャ装置（１）を閉止するために前記第２のクロージャ部材（３）が前記第１のクロージャ部材（２）に取り付けられるときに、磁気的に互いに吸引するように構成され、
−前記第２のクロージャ部材（３）に力を導入するように構成された加力エレメント（３１）を備えており、前記加力エレメント（３１）が、前記第２のクロージャ部材（３）のうちの、前記第２の係止突起（３０４）近傍の加力位置（３００）にピボット可能に取り付けられているクロージャ装置（１）において、
前記第１のクロージャ部材（２）が、ベース（２０）および前記ベース（２０）に強固に取り付けられた係止エレメント（２１）を含み、前記係止エレメント（２１）が、前記第１の係止突起（２１０）を保持しており、前記第２のクロージャ部材（３）が、前記第２の係止突起（３０４）を保持する係止部位（３０）を含み、前記係止部位（３０）が、前記閉止位置において前記第１のクロージャ部材（２）の前記係止エレメント（２１）に面する前面（３０７）を有しており、
前記第２のクロージャ部材（３）における前記加力位置（３００）が、前記閉止位置において、前記係合方向（Ｅ）と反対の方向でみて、前記前面（３０７）と前記第１のクロージャ部材（２）の前記第１の磁性部材（２３）の中心（２３０）との間に位置することを特徴とする、クロージャ装置（１）。
【請求項２】
請求項１に記載のクロージャ装置（１）において、前記加力エレメント（３１）が、前記第２のクロージャ部材（３）のうちの、前記加力位置（３００）を構成するピボット軸心を中心としてピボット可能なブラケットであることを特徴とする、クロージャ装置（１）。
【請求項３】
請求項１に記載のクロージャ装置（１）において、前記加力エレメント（３１）が、前記第２のクロージャ部材（３）のうちの、前記加力位置（３００）を構成するピボット点を中心としてピボット可能なロープ、チェーンまたはケーブルであることを特徴とする、クロージャ装置（１）。
【請求項４】
請求項１から３のいずれか一項に記載のクロージャ装置（１）において、前記加力エレメント（３１）が、前記第２のクロージャ部材（３）に、その長さを調節可能に取り付けられていることを特徴とする、クロージャ装置（１）。
【請求項５】
請求項１から４のいずれか一項に記載のクロージャ装置（１）において、
前記クロージャ装置（１）を閉止するときに前記第２のクロージャ部材（３）を前記係合方向（Ｅ）と直交する閉止方向（Ｘ）で前記第１のクロージャ部材（２）に取り付ける際に、前記第２の係止突起（３０４）を前記第１の係止突起（２１０）を越えて案内するために、
−前記第１の係止突起（２１０）が、前記閉止位置では前記第２の係止突起（３０４）に面さない側で、傾斜面（２１１）を有しており、および／または、
−前記第２の係止突起（３０４）は、前記閉止位置では前記第１の係止突起（２１０）に面さない側で、傾斜面（３０６）を有している、
ことを特徴とする、クロージャ装置（１）。
【請求項６】
請求項１から５のいずれか一項に記載のクロージャ装置（１）において、前記クロージャ装置（１）を開放するにあたって、前記第２のクロージャ部材（３）は、前記第２の係止突起（３０４）を前記第１の係止突起（２１０）から外すために、
−前記第２の係止突起（３０４）と共に、前記第１のクロージャ部材（２）の前記第１の係止突起（２１０）を中心としてピボット可能であるか、あるいは、
−前記第２の係止突起（３０４）が前記第１の係止突起（２１０）に沿ってスライドするように、変位可能である、
ことを特徴とする、クロージャ装置（１）。
【請求項７】
請求項１から６のいずれか一項に記載のクロージャ装置（１）において、前記加力エレメント（３１）が、２つの端部（３１０，３１１）を有するブラケットであり、前記加力エレメント（３１）は、前記２つの端部（３１０，３１１）を介して、前記第２のクロージャ部材（３）における少なくとも１つの開口（３０５，３０５Ａ，３０５Ｂ）にピボット可能に取り付けられており、この取付は、前記ブラケットに配置されて前記端部（３１０，３１１）が前記少なくとも１つの開口（３０５，３０５Ａ，３０５Ｂ）から外れるのを防ぐ固定エレメント（３２）によって確実なものにされることを特徴とする、クロージャ装置（１）。
【請求項８】
請求項１から７のいずれか一項に記載のクロージャ装置（１）において、前記磁性部材（２３，２３Ａ，２３Ｂ，３３，３３Ａ，３３Ｂ）が、前記係合方向（Ｅ）に沿って吸引力を生成するように、あるいは、前記係合方向（Ｅ）と直交する方向に吸引力を生成するように設けられていることを特徴とする、クロージャ装置（１）。
【請求項９】
請求項１から８のいずれか一項に記載のクロージャ装置（１）において、さらに、
前記磁性部材（２３，２３Ａ，２３Ｂ，３３，３３Ａ，３３Ｂ）によって生成される磁場を前記閉止位置において感知する磁場センサ（４）、を備えることを特徴とする、クロージャ装置（１）。
【請求項１０】
２つの部品を解除可能に互いに連結するクロージャ装置（１）であって、
−剛体である第１の係止突起（２１０）を有する第１のクロージャ部材（２）と、
−前記第１のクロージャ部材（２）に取付可能な第２のクロージャ部材（３）であって、閉止位置では前記第１のクロージャ部材（２）に保持され、かつ、剛体である第２の係止突起（３０４）を有するものであり、前記第２の係止突起（３０４）は、前記第１の係止突起（２１０）と係合方向（Ｅ）に係合可能であると共に、前記閉止位置において前記第１の係止突起（２１０）とポジティブ・ロック機構によって係合する、第２のクロージャ部材（３）と、を備え、
−前記第１のクロージャ部材（２）が第１の磁性部材（２３，２３Ａ，２３Ｂ）を含み、前記第２のクロージャ部材（３）が第２の磁性部材（３３，３３Ａ，３３Ｂ）を含み、前記第１の磁性部材（２３，２３Ａ，２３Ｂ）および前記第２の磁性部材（３３，３３Ａ，３３Ｂ）は、前記クロージャ装置（１）を閉止するために前記第２のクロージャ部材（３）が前記第１のクロージャ部材（２）に取り付けられるときに、磁気的に互いに吸引するように構成されている、クロージャ装置（１）において、
前記第１のクロージャ部材（２）が、ブロッキングエレメント（２４，２４Ａ，２４Ｂ）を有しており、前記閉止位置では、前記ブロッキングエレメント（２４，２４Ａ，２４Ｂ）が、前記第２のクロージャ部材（３）のうちの前記係合方向（Ｅ）と反対の方向に向く後面（３０８）に面し、前記ブロッキングエレメント（２４，２４Ａ，２４Ｂ）は、前記クロージャ装置（１）が閉止位置にあるときに前記第２の係止突起（３０４）が前記第１の係止突起（２１０）との係合状態から前記係合方向（Ｅ）と反対の方向に動き外れるのを防ぐように構成されていることを特徴とする、クロージャ装置（１）。
【請求項１１】
請求項１０に記載のクロージャ装置（１）において、前記第２のクロージャ部材（３）に力を導入するように構成された加力エレメント（３１）が、前記第２のクロージャ部材（３）のうちの加力位置（３００）にピボット可能に、あるいは、強固に取り付けられていることを特徴とする、クロージャ装置（１）。
【発明の詳細な説明】
【技術分野】
【０００１】
本発明は、請求項１の前提部に記載されているとおり、２つの部品を解除可能に（releasably）互いに連結するクロージャ装置（closure device）に関する。
【背景技術】
【０００２】
この種のクロージャ装置は、剛体である第１の係止突起を有する第１のクロージャ部材と、剛体である第２の係止突起を有する第２のクロージャ部材とを備える。この第２のクロージャ部材は、上記第１のクロージャ部材に取付可能であり、閉止位置ではその第１のクロージャ部材に保持される。これにより、それら各クロージャ部材に繋げられたパーツ（部品）同士を、互いに連結することができる。このようなクロージャ装置を閉止するために、上記第２の係止突起は、上記第１の係止突起と係合方向に係合可能であると共に、上記閉止位置においてその第１の係止突起とポジティイブ・ロック(確動ロック)機構（positive locking manner）によって係合する。
【０００３】
さらに上記第１のクロージャ部材は第１の磁性部材を含み、上記第２のクロージャ部材も第２の磁性部材を含む。これら第１の磁性部材および第２の磁性部材は、上記第２のクロージャ部材が上記第１のクロージャ部材に取り付けられるときに、磁気的に互いに吸引するように構成されており、つまり、上記クロージャ部材同士を引っ張って互いに係合させる吸引力を生成することにより、上記クロージャ装置の閉止（closing）をサポートするように構成されている。
【０００４】
特許文献１に開示されたクロージャ装置には、２つのクロージャ部材が設けられており、それぞれのクロージャ部材が係止突起を有している。これらの係止突起は互いに係合可能であり、同文献のクロージャ装置の閉止位置では、ポジティブ・ロック機構によって互いを嵌合保持している。それぞれのクロージャ部材には、当該クロージャ部材同士が意図せず互いに切り離されないことを確実にするために２つの磁石が設けられている。同文献のクロージャ装置はジュエリー（宝飾品）用のクロージャとして機能するので、大きな荷重の支持には適していない。
【０００５】
特許文献２から知られているクロージャ装置もジュエリー用のクロージャとして機能するものであり、第１のクロージャ部材が第２のクロージャ部材とポジティブ・ロック機構によって係合可能であり、同文献のクロージャ装置の閉止位置では、この係合が磁石によって確実なものにされる。
【先行技術文献】
【特許文献】
【０００６】
【特許文献１】米国特許第５６６４２９８号明細書
【特許文献２】米国特許出願公開第２００３／０２２９９７４号明細書
【発明の概要】
【発明が解決しようとする課題】
【０００７】
簡単に閉止させて無理なく（comfortably）開放可能であると同時に、過剰な荷重が働いても開いてしまってはいけない例えば安全クロージャ（safety closure）等に求められるように、大きな荷重を支えることが可能な高強度クロージャが所望されている。
【０００８】
本発明の目的は、簡単に且つ無理なく取り扱うことができると同時に、大きな荷重を受ける（take on）のにも適したクロージャ装置を提供することである。
【課題を解決するための手段】
【０００９】
上記の目的は、請求項１の構成を備えるクロージャ装置によって達成される。
【００１０】
本発明に係るクロージャ装置は、第２の係止突起（locking protrusion）近傍の加力位置(force application location)に、第２のクロージャ部材にピボット可能に取付けられた加力エレメント（force application element）を備えており、前記加力エレメントは第２のクロージャ部材に力を導入(introduce)するように構成されている。
【００１１】
この構成は、第２のクロージャ部材を２つの構成品からなるもの（two-part form）として設けるという着想に由来している。具体的に述べると、前記第２のクロージャ部材を、前記クロージャ装置が前記閉止位置において力に曝された際に当該第２のクロージャ部材に力を導入するように機能する前記加力エレメントに、ピボット可能に接続されたものとしている。さらに、その加力エレメントは前記第２の係止突起近傍の加力位置で（したがって、前記第２のクロージャ部材がポジティブ・ロック機構によって第１のクロージャ部材と係合する箇所において）前記第２のクロージャ部材に対して働きかけるものなので、前記第２のクロージャ部材に対するその加力エレメントのピボット位置のかなりの（fairly）広範囲にわたって、大きな荷重を前記クロージャ装置によって吸収する（take up）ことが可能となる。これにより、前記クロージャ装置が荷重下で意図せず開いてしまうというリスクを減らすことができる。
【００１２】
前記加力エレメントは、例えば、前記第２のクロージャ部材のうちのピボット軸心を中心としてピボット可能なブラケットである。この場合のピボット軸心は、前記加力位置を構成する軸心となり、つまり、線の形状を取る。
【００１３】
同様に、前記加力エレメントは、前記第２のクロージャ部材のうちのピボット点を中心としてピボット可能なロープ、チェーンまたはケーブルであってもよい。この場合のピボット点は、前記加力位置を構成する点となり、つまり、一点の形状(the shape of a single point) を取る。そのロープ、チェーンまたはケーブルは、剛体であっても可撓体であってもよい。
【００１４】
ブラケットが使用される場合、そのブラケットは、前記第２のクロージャ部材とピボット・ジョイント部を形成し得る。そのジョイント部は、前記第２のクロージャ部材のうちの二つの側、一つの側または中央点に形成され得る。同じことは、前記加力エレメントがロープ、チェーンまたはケーブルである場合にも言える。そのロープ、チェーンまたはケーブルは、前記第２のクロージャ部材のうちの二つの側、一つの側または中央点にピボット可能に取り付けられ得る。
【００１５】
前記ピボット・ジョイント部は（特に、ピボット軸心を中心としてピボット可能なブラケットが前記加力エレメントとして使用される場合に）、当該ジョイント部を形成する開口にそのブラケットをクリップ（clipped into an opening）することによってそのブラケットを前記第２のクロージャ部材に取り付けられるように、前記ピボット軸心と直交する方向に開口したものであってもよい。同様に、前記ジョイント部を形成する開口は、前記ブラケットをその（respective）開口に前記ピボット軸心に沿って挿入することによってのみ当該ブラケットをそのジョイント部に取り付けることができるように、その外周（circumferentially）が前記ピボット軸心と直交する全ての方向で閉じられたものであってもよい。
【００１６】
前記加力エレメントは（特に、その加力エレメントがチェーン、ロープまたはケーブルとして形成されている場合に）、その長さを調節できるように前記第２のクロージャ部材に調節可能に取り付けられていてもよい。このために、例えばリング(ring)等が、前記チェーン、ロープまたはケーブルでの当該リングの位置を変えることによってそのチェーン、ロープまたはケーブルの長さを調節できるように、そのチェーン、ロープまたはケーブルにおいてスライド可能に設けられ得る。
【００１７】
一実施形態では、前記第１のクロージャ部材が、ベースおよび当該ベースに強固に取り付けられた係止エレメント(locking element)を含み、この係止エレメントが、前記第１の係止突起(locking protrusion)を保持している。また、前記第２のクロージャ部材が、前記第２の係止突起を保持する係止部位(locking part)を含み、この係止部位が、前記閉止位置において前記第１のクロージャ部材の前記係止エレメントに面する前面を有している。ここで、好ましくは、前記第１の係止突起が設けられた前記係止エレメントと前記ベースとが、前記第２のクロージャ部材のうちの前記第２の係止突起を含む前記第２の係止部位が前記閉止位置において係合する、Ｕ字形状の凹所を形成している。この構成によれば、前記第１のクロージャ部材のうちの前記第１の係止突起と前記係止エレメントと前記ベースとによって形成される前記Ｕ字形状の凹所に、前記第２のクロージャ部材をその前記第２の係止突起で、ポジティブ・ロック機構によって保持することが可能となる。
【００１８】
上記のとき、一実施形態では、前記加力位置（すなわち、前記加力エレメントが係合する位置）が、前記クロージャ装置の前記閉止位置において、前記第２のクロージャ部材（closure element）の前記前面と前記第１のクロージャ部材の前記第１の磁性部材の中心との間に位置する。前記第１の磁性部材の中心は、当該第１の磁性部材を構成する磁石又は磁性アーマチュアの幾何学的中心又は重心によって決まり得る。このように前記加力位置が前記第２のクロージャ部材の前記前面と前記第１のクロージャ部材の前記第１の磁性部材の前記中心との間に存在することにより、前記第１および第２のクロージャ部材の磁性部材間の磁気吸引力によって前記第２のクロージャ部材を前記第１のクロージャ部材との係合状態に保持する有益な「てこ」(leverage)を確実に形成することができる。前記加力位置が前記前面と前記第１の磁性部材の前記中心との間に存在することにより、前記加力位置に働く力の「てこアーム」が前記磁性部材によって生じる磁気吸引力の「てこアーム」よりも短くなるので、前記加力エレメントを介して前記第２のクロージャ部材における前記加力位置に相当（fairly）大きな荷重が働いたとしても、かなりの（fairly）小さな磁気吸引力で十分に前記クロージャ部材同士を係合状態に確実に保持することが可能となる。
【００１９】
詳細な一実施形態では、前記第１の係止突起が、前記Ｕ字形状の凹所の第１の脚体（first leg）を形成しており、前記ベースが、当該Ｕ字形状の凹所の第２の脚体(second leg)を形成しており、これら第１の脚体および第２の脚体が、互いに実質的に平行に延びている。この場合、前記第２のクロージャ部材が、前記クロージャ装置の前記閉止位置において、当該第２のクロージャ部材の前記第２の係止突起によって前記Ｕ字形状の凹所に係合する。具体的に述べると、前記閉止位置において、前記第２の係止突起が前記Ｕ字形状の凹所の内側で前記第１の係止突起に当接する。
【００２０】
他の実施形態では、前記第１のクロージャ部材が、ブロッキングエレメントを有しており、前記閉止位置では、このブロッキングエレメントが、前記第２のクロージャ部材の後面に面する。このとき、その後面は、前記係合方向と反対の方向に向くと共に、前記第１のクロージャ部材の前記ベース上において前記前面とは反対側に載置されている。前記ブロッキングエレメントは、前記クロージャ装置が前記閉止位置にあるときに前記第２の係止突起が前記第１の係止突起との係合状態から前記係合方向と反対の方向に動き外れるのを防ぐように構成されている。つまり、前記ブロッキングエレメントは、前記第２のクロージャ部材が前記第１のクロージャ部材との係合状態から前記係合方向と反対の方向に動き外れるのを防ぐように機能するので、相当の仕事（further ado）をかけない限り、前記第２のクロージャ部材を前記係合方向と反対の方向に変位させて外す（released）ことはできない。 
【００２１】
前記ブロッキングエレメントを設けることにより、過剰な荷重が働いても振動荷重が働いても様々な方向から荷重が働いても開いてしまってはいけない例えばモーターバイク用ヘルメットのような安全クロージャ等に求められるように大きな荷重に耐える（carry）のに適した、極めて頑強なクロージャを提供することができる。前記ブロッキングエレメントにより、前記第２のクロージャ部材が前記第１のクロージャ部材との係合状態から前記係合方向と反対の方向に滑り外れるのを防ぐことができるので、その第２のクロージャ部材に取り付けられた前記加力エレメントに大きな荷重が働くことで前記クロージャ装置が開いてしまうというリスクを大幅に減らすことができる。
【００２２】
さらなる実施形態では、前記第２のクロージャ部材が、前記係止部位に取り付けられた支持エレメントを有しており、この支持エレメントが、前記係合方向と反対の方向に前記係止部位を越えて延びている。この支持エレメントは、前記クロージャ装置を閉止するときに、前記第２の係止突起が前記第１の係止突起と係合するよりも前に前記後面が前記ブロッキングエレメントと接触するのを防ぐように構成されている。前記クロージャ装置を閉止するために前記第２のクロージャ部材が前記第１のクロージャ部材に近付けられると、前記支持エレメントが、まず前記第１のクロージャ部材の前記ベースに接触し、前記第１のクロージャ部材に対する前記第２のクロージャ部材の運動を、前記第２の係止突起が前記第１の係止突起との係合状態に滑り入れるように且つ前記ブロッキングエレメントがその運動を邪魔しないように案内する。
【００２３】
前記ブロッキングエレメントは、前記ベースに強固に取り付けられていてもよい。また、前記ブロッキングエレメントは、前記ベースから突出する突体として形成されてもよい。
【００２４】
これ以外にも、他の実施形態において前記ブロッキングエレメントは、前記クロージャ装置を閉止するために前記第２のクロージャ部材が前記第１のクロージャ部材に取り付けられるときに撓み変形（deflected）可能であるように、前記第１のクロージャ部材の前記ベースに弾性的に設けられている。この構成によれば、前記クロージャ装置を閉止する際に前記第２のクロージャ部材が前記第１のクロージャ部材の前記ブロッキングエレメントに接触すると、その第２のクロージャ部材が当該ブロッキングエレメントを撓み変形させる。これにより、前記第２のクロージャ部材はその前記第２の係止突起で、前記第１のクロージャ部材の前記第１の係止突起との係合状態にスライドすることが可能となる。前記第２の係止突起が自身の係合位置（前記第２の係止突起が前記第１の係止突起との係合状態にある位置）に達すると、上記の弾性的なブロッキングエレメントは、前記第２のクロージャ部材が前記第１のクロージャ部材との係合状態から前記係合方向と反対の方向に滑り外れるのを阻止する自身の本来の位置にスナップバック（snap back）して戻る。
【００２５】
他の実施形態において、前記第１の係止突起は、前記閉止位置において前記第２の係止突起から離れたサイドで、傾斜面を有している。この構成に加えて、あるいは、この構成に代えて、前記第２の係止突起は、前記閉止位置では前記第１の係止突起から離れたサイドで、傾斜面を有している。これにより、前記クロージャ装置を閉止するときに前記第２のクロージャ部材を前記第１のクロージャ部材に対して、前記係合方向と直交するだけでなく前記第１のクロージャ部材の前記ベースが実質的に延在する平面とも直交する閉止方向で取り付けるときに、前記第２の係止突起を前記第１の係止突起を越えて案内することができる。具体的に述べると、前記係止突起の前記傾斜面同士を互いに接触させ、前記第２の係止突起を、前記第１の係止突起との係合状態に動き入るまで当該第１の係止突起に沿ってスライドさせることが可能となる。
【００２６】
この場合、前記クロージャ装置を閉止する際に前記第２の係止突起を傾斜面上でスライドさせるのであるから、前記第２の係止突起を前記第１の係止突起を越えて案内してその第２の係止突起が当該第１の係止突起とのポジティブ・ロック機構による係合状態に動き入れるようになるまで、前記第２のクロージャ部材（closure element）を前記係合方向と反対の方向にある程度の距離変位させることになる。
【００２７】
前記クロージャ装置は、当該クロージャ装置のその閉止位置から様々な方法で開放され得る。
【００２８】
第一に、前記クロージャ装置を開放するにあたって、前記第２の係止突起を前記第１の係止突起とのポジティブ・ロック機構による係合状態から外すために、前記第２のクロージャ部材を、自身の第２の係止突起と共に前記第１の係止突起の周りをピボット可能なものとする構成が考えられる。
【００２９】
第二に、前記第２のクロージャ部材を、前記係合方向と直交すると同時に前記第１のクロージャ部材の前記ベースが実質的に延在する平面に対して平行である方向に変位可能なものとし、この変位運動（displacement movement）により、前記第２の係止突起を前記第１の係止突起に沿ってスライドさせてその第２の係止突起を当該第１の係止突起との係合状態から動き外すことを可能にする構成が考えられる。
【００３０】
前記第２のクロージャ部材を前記第１のクロージャ部材に対してピボットすることによってその第２のクロージャ部材を当該第１のクロージャ部材から外すことが可能である場合に、さらに、前記クロージャ部材同士を互いに変位する（ずらす）（displacing）ことによっても前記クロージャ装置を開放できるようにする構成も考えられる。この場合、原則として２種類の開放動作が可能である。前記第２のクロージャ部材を前記第１のクロージャ部材に対してピボットするように、前記第２のクロージャ部材には、この第２のクロージャ部材を動かしてこれを前記第２の係止突起と共に前記第１の係止突起を中心としてピボットを可能にするハンドル（handle）が設けられ得る。
【００３１】
前記第２のクロージャ部材を前記第１のクロージャ部材に対してピボットすることによって前記クロージャ装置を開放することが可能である場合に、前記第２のクロージャ部材を前記第１のクロージャ部材に対して変位する（ずらす）開放動作を、ブラケット形状の加力エレメントによって前記第１のクロージャ部材のロッキングエレメント等と共に阻止する構成、あるいは、前記第２のクロージャ部材を前記第１のクロージャ部材に対して前記係合方向と直交すると同時に前記第１のクロージャ部材の前記ベースの延在平面に対して平行である方向にずらす変位運動を防ぐ追加のサイドエレメントによって阻止する構成も考えられる。
【００３２】
前記第２の係止突起を前記第１の係止突起に沿ってスライドさせることによって前記第２のクロージャ部材を変位させて前記クロージャ装置を開放することが可能である場合には、前記第２のクロージャ部材に、当該第２のクロージャ部材のピボット運動を可能にするハンドル（handle）を設けないという構成も考えられる。これに関しては、前記加力エレメント等をそのような変位運動を妨げない位置に動かした後でのみ、そのような変位運動を可能とする構成も考えられる。また、前記第２のクロージャ部材を前記第１のクロージャ部材に対して変位させる（ずらす）前に外されなければいけない追加の連動エレメントを設けるという構成も考えられる。また、変位（ずらす）運動を一方向のみで可能とする構成も考えられる。これは、例えば、開放するための変位（ずらす）運動が一方向のみで可能となるように前記加力エレメントを前記第２のクロージャ部材に取り付ける等によって実現することができる。
【００３３】
前記加力エレメントは、例えば、ベルトを前記第２のクロージャ部材に固定するベルト受けを構成しているものであってもよい。さらに、前記第１のクロージャ部材が、ベルトを当該第１のクロージャ部材に固定するベルト受けを保持するものであってもよい。これにより、前記クロージャ装置によって２つのベルトを互いに連結することが可能となる。
【００３４】
前記加力エレメントが２つの端部を有するブラケットであり、その加力エレメントがそれら２つの端部を介して前記第２のクロージャ部材における少なくとも１つの開口にピボット可能に取り付けられている場合には、前記第２のクロージャ部材に対する前記加力エレメントのこの取付を、前記ブラケットに配置された固定エレメントによって確実なものにするという構成も考えられる。具体的に述べると、この固定エレメントは、前記ブラケットを、当該ブラケットの２つの端部が互いに対して変位できないように保持する。これにより、それらの端部が前記第２のクロージャ部材における前記少なくとも１つの開口から外れるのを防ぐことができる。また、上記のブラケットは、前記固定エレメントと共に、ベルトを前記加力エレメントに取り付けるベルト受けを形成するものであってもよい。この場合、前記固定エレメントは、第一の目的として前記第２のクロージャ部材に対する前記ブラケットの取付を確実なものにすると共に、第二の目的としてベルトを前記ブラケットに保持固定する。
【００３５】
前記磁性部材は、前記係合方向に沿って吸引力を生成するように、あるいは、前記係合方向と直交する方向に吸引力を生成するように設けられ得る。前者の場合、前記クロージャ部材同士は、前記係合方向に沿って互いに向かって引っ張られるように吸引される。後者の場合、磁気吸引力は、例えば前記第１のクロージャ部材の前記ベースの延在平面と直交するように作用する。前者の場合では、前記クロージャ部材同士の磁石が、あるいは、一方の前記クロージャ部材における磁石と他方の前記クロージャ部材における磁性アーマチュアとが、前記係合方向に沿って互いに向き合う。後者の場合では、前記クロージャ部材同士の磁石が、あるいは、一方の前記クロージャ部材における磁石と他方の前記クロージャ部材における磁性アーマチュアとが、前記係合方向と直交する方向に沿って互いに向き合う。
【００３６】
一方の又はそれぞれの前記クロージャ部材には、他方の前記クロージャ部材に向く複数の磁石が、相対する（opposite）磁極で設けられてもよい。このような磁石の配置構成によれば、前記クロージャ装置を閉止する際に磁石同士が相互作用して、前記クロージャ部材同士が望ましいかたちで向き合うように当該クロージャ部材を互いに動かすので、それらクロージャ部材同士が互いに正しい向きで取り付けられるのを確実にすることができる。
【００３７】
さらなる実施形態では、一方の前記クロージャ部材に、前記磁性部材によって生成される磁場を前記閉止位置において感知する磁場センサが設けられている。このとき、その磁場センサは、前記磁性部材によって生成される磁場の強度を検出するものであり得る。あるいは、その磁場センサは、一方又は双方の前記クロージャ部材の前記磁性部材の位置、例えば前記第２のクロージャ部材の前記磁性部材の位置等を検出するものであり得る。このような磁場センサにより、前記閉止位置に達したか否か、さらには、前記閉止位置が正確に確立されたか否かをユーザに知らせる信号を生成することで、前記クロージャ装置の閉止動作に関するフィードバックをユーザが受け取れるようにしてもよい。
【００３８】
上記の目的は、さらに、２つの部品を解除可能に互いに連結するクロージャ装置であって、
−剛体である第１の係止突起を有する第１のクロージャ部材と、
−前記第１のクロージャ部材に取付可能な第２のクロージャ部材であって、閉止位置では前記第１のクロージャ部材に保持され、かつ、剛体である第２の係止突起を有するものであり、その第２の係止突起は、前記第１の係止突起と係合方向に係合可能であると共に、前記閉止位置において当該第１の係止突起とポジティブ・ロック機構によって係合する、第２のクロージャ部材と、を備え、
−前記第１のクロージャ部材が第１の磁性部材を含み、前記第２のクロージャ部材が第２の磁性部材を含み、これら第１の磁性部材および第２の磁性部材は、当該クロージャ装置を閉止するために前記第２のクロージャ部材が前記第１のクロージャ部材に取り付けられるときに、磁気的に互いに吸引するように構成されている、クロージャ装置において、
前記第１のクロージャ部材が、ブロッキングエレメントを有しており、前記閉止位置では、このブロッキングエレメントが、前記第２のクロージャ部材のうちの前記係合方向と反対の方向に向く後面に面し、前記ブロッキングエレメントは、当該クロージャ装置が自身の閉止位置にあるときに前記第２の係止突起が前記第１の係止突起との係合状態から前記係合方向と反対の方向に動き外れるのを防ぐように構成されていることを特徴とする、クロージャ装置、
によっても達成される。
【００３９】
これまでに説明した利点および有利な実施形態は、このクロージャ装置にも同等に適用することができる。具体的に述べると、このクロージャ装置は、これまでに説明した各種構成のうちのどの構成とも適宜組み合わせることができる。
【００４０】
これまでに説明した実施形態以外にも、このクロージャ装置を、さらに、前記第２のクロージャ部材のうちの加力位置にピボット可能に、あるいは、強固に取り付けられ加力エレメントを備えるものとする構成も考えられる。すなわち、上記のクロージャ装置を、さらに、前記第２のクロージャ部材に強固に取り付けられた加力エレメントを保持するものとする構成も考えられる。
【００４１】
これまでに説明したどの構成においても、前記係止突起用の部品に、弾性の部品を用意する必要性がない。これにより、前記第１のクロージャ部材および前記第２のクロージャ部材を、押出形材等による金属製部品として製作することが可能になる。このような押出形材は、金属またはプラスチックから簡単に且つ経済的に作製できるだけでなく、高信頼性かつ高強度の部品をもたらす。さらに、前記クロージャ装置は、簡単な構造をしている（easy structural build）ことから、塵やホコリの影響を受け難いので、広範囲の多種多様な用途やアプリケーション、例えば、ホルスター用のクロージャ、犬の首輪用のクロージャやその他の首輪用のクロージャ、リード用のクロージャ、ヘルメット用のクロージャ、補装具用のクロージャ、人工補正具用のクロージャ、ドア用のクロージャ、ケース用のクロージャ、楽器ケース用のクロージャ、バッグ用のクロージャ、ドライバッグなどの（防水）入れ物用のクロージャ等に適した、高い信頼性の閉止機能（closure）を提供することができる。
【００４２】
本発明の根底をなす思想を、図示の実施形態を参照しながら以下で詳細に説明する。
【図面の簡単な説明】
【００４３】
【図１Ａ】クロージャ装置の第１の実施形態を示す分解斜視図である。
【図１Ｂ】クロージャ装置の第１の実施形態を示す他の分解斜視図である。
【図２Ａ】同クロージャ装置の位置の一つを示す斜視図である。
【図２Ｂ】図２Ａの状態における同クロージャ装置の平面図である。
【図２Ｃ】図２Ｂの線Ａ−Ａに沿った断面図である。
【図３Ａ】同クロージャ装置の他の位置を示す斜視図である。
【図３Ｂ】図３Ａの状態における同クロージャ装置の平面図である。
【図３Ｃ】図３Ｂの線Ｂ−Ｂに沿った断面図である。
【図４Ａ】同クロージャ装置のさらなる他の位置を示す斜視図である。
【図４Ｂ】図４Ａの状態における同クロージャ装置の平面図である。
【図４Ｃ】図４Ｂの線Ｃ−Ｃに沿った断面図である。
【図５Ａ】同クロージャ装置のさらなる他の位置を示す斜視図である。
【図５Ｂ】図５Ａの状態における同クロージャ装置の平面図である。
【図５Ｃ】図５Ｂの線Ｄ−Ｄに沿った断面図である。
【図６Ａ】同クロージャ装置のさらなる他の位置を示す斜視図である。
【図６Ｂ】図６Ａの状態における同クロージャ装置の平面図である。
【図６Ｃ】図６Ｂの線Ｅ−Ｅに沿った断面図である。
【図７Ａ】同クロージャ装置のさらなる他の位置を示す斜視図である。
【図７Ｂ】図７Ａの状態における同クロージャ装置の平面図である。
【図７Ｃ】図７Ｂの線Ｆ−Ｆに沿った断面図である。
【図８Ａ】クロージャ装置の第２の実施形態を示す分解斜視図である。
【図８Ｂ】図８Ａのクロージャ装置の、閉止位置における側面図である。
【図９Ａ】クロージャ装置の他の実施形態を示す分解斜視図である。
【図９Ｂ】クロージャ装置の他の実施形態を示す他の分解斜視図である。
【図９Ｃ】同クロージャ装置の、閉止位置における斜視図である。
【図９Ｄ】同クロージャ装置の側面図である。
【図１０Ａ】クロージャ装置のさらなる他の実施形態の、位置の一つを示す斜視図である。
【図１０Ｂ】同クロージャ装置の平面図である。
【図１０Ｃ】同クロージャ装置の側面図である。
【図１１Ａ】クロージャ装置の上記さらなる他の実施形態の、他の位置を示す斜視図である。
【図１１Ｂ】同クロージャ装置の平面図である。
【図１１Ｃ】同クロージャ装置の側面図である。
【図１２Ａ】クロージャ装置のさらなる他の実施形態を示す斜視図である。
【図１２Ｂ】同クロージャ装置の側面図である。
【図１２Ｃ】同クロージャ装置の平面図である。
【図１３Ａ】クロージャ装置のさらなる他の実施形態の、位置の一つを示す斜視図である。
【図１３Ｂ】同クロージャ装置の、図１３Ａでの位置における平面図である。
【図１３Ｃ】同クロージャ装置の、図１３Ｂの線Ａ−Ａに沿った断面図である。
【図１４Ａ】クロージャ装置の上記さらなる他の実施形態の、他の位置を示す斜視図である。
【図１４Ｂ】同クロージャ装置の、図１４Ａでの位置における平面図である。
【図１４Ｃ】同クロージャ装置の、図１４Ｂの線Ｄ−Ｄに沿った断面図である。
【図１５Ａ】クロージャ装置の上記さらなる他の実施形態の、さらなる他の位置を示す斜視図である。
【図１５Ｂ】同クロージャ装置の、図１５Ａでの位置における平面図である。
【図１５Ｃ】同クロージャ装置の、図１５Ｂの線Ｅ−Ｅに沿った断面図である。
【図１６Ａ】クロージャ装置のさらなる他の実施形態を示す部分分解斜視図である。
【図１６Ｂ】クロージャ装置の上記さらなる他の実施形態を示す他の部分分解斜視図である。
【図１６Ｃ】同クロージャ装置の、閉止位置における側面図である。
【図１７Ａ】クロージャ装置のさらなる他の実施形態を示す斜視図である。
【図１７Ｂ】同クロージャ装置の分解斜視図である。
【図１７Ｃ】同クロージャ装置の他の分解斜視図である。
【図１７Ｄ】同クロージャ装置の側面図である。
【図１８Ａ】クロージャ装置のさらなる他の実施形態の、位置の一つを示す斜視図である。
【図１８Ｂ】同クロージャ装置の平面図である。
【図１８Ｃ】図１８Ｂの線Ａ−Ａに沿った断面図である。
【図１９Ａ】クロージャ装置の上記さらなる他の実施形態の、他の位置を示す斜視図である。
【図１９Ｂ】同クロージャ装置の平面図である。
【図１９Ｃ】図１９Ｂの線Ｃ−Ｃに沿った断面図である。
【図２０Ａ】クロージャ装置の上記さらなる他の実施形態の、さらなる他の位置を示す斜視図である。
【図２０Ｂ】同クロージャ装置の平面図である。
【図２０Ｃ】図２０Ｂの線Ｅ−Ｅに沿った断面図である。
【図２１Ａ】クロージャ装置の上記さらなる他の実施形態の、さらなる他の位置を示す斜視図である。
【図２１Ｂ】同クロージャ装置の平面図である。
【図２１Ｃ】図２１Ｂの線Ｄ−Ｄに沿った断面図である。
【図２２Ａ】クロージャ装置のさらなる他の実施形態を示す斜視図である。
【図２２Ｂ】同クロージャ装置の平面図である。
【図２２Ｃ】図２２Ｂの線Ａ−Ａに沿った断面図である。
【発明を実施するための形態】
【００４４】
以下では、図１Ａ及び図１Ｂないし図７Ａ〜図７Ｃを参照しながら、第１のクロージャ部材(closure member)２および第２のクロージャ部材３を備えるクロージャ装置（closure device）１の第１の実施形態を説明する。
【００４５】
ここでは、第１のクロージャ部材２が、係止突起(locking protrusion)２１０付きの係止エレメント（locking element）２１を保持するベース２０を含む。係止エレメント２１は、ベース２０に強固に取り付けられ、そのベース２０から延出しており、かつ、剛体である係止突起２１０を保持している。ベース２０と係止突起２１０付きの係止エレメント２１とは、プラスチック製または金属製の一体品として形成されるのが有益である。
【００４６】
ベース２０は、開口２００を有している。この開口２００には、磁石又は磁性アーマチュアの形状の磁性部材２３を収容開口２２０内に収容した磁石ハウジング（magnet housing）２２が挿入されることにより、その磁性部材２３が前記ベース２０に固定的に保持される。ベース２０は、さらに、ベルトを取り付けることが可能なベルト受け２０１を有している。
【００４７】
第２のクロージャ部材３は、係止突起(locking protrusion)３０４を保持する係止部位(locking part)３０を含む。係止部位３０は、当該係止部位３０にブラケット形状の加力エレメント(force application element)３１を取り付けるための、長手方向に延びる開口３０５を有している。係止部位３０は、さらに、中央開口３０１を有している。この開口３０１には、磁石又は磁性アーマチュアの形状の磁性部材３３が挿入可能であり、これにより、その磁性部材３３が前記係止部位３０に固定的に保持される。
【００４８】
係止部位３０からは、ハンドル（handle）３０２および支持エレメント（support element）３０３が延出している。ハンドル３０２は、クロージャ装置１を閉止位置からオープンするために前記係止部位３０を作動する役割を果たす。支持エレメント３０３は、後で詳述するように、前記係止部位３０を第１のクロージャ部材２に簡単に、無理なく且つ高い信頼性で取り付けられることを確実にする役割を果たす。
【００４９】
ブラケット形状の加力エレメント３１には、固定エレメント（securing element）３２が取り付けられている。固定エレメント３２は、ブラケット３１に取り付けられた状態では、そのブラケット３１の周りを囲っている（reach around）。固定エレメント３２は、ブラケット３１と共に、ベルトを第２のクロージャ部材３に取り付けるベルト受け（belt receptacle）として機能する。固定エレメント３２は、さらに、ブラケット３１の２つの端部３１０，３１１を前記係止部位３０における長手方向の前記開口３０５に挿入することでブラケット３１をその係止部位３０に取り付けた後において、ブラケット３１をその係止部位３０に確実に固定する（secure）役割を果たす。
【００５０】
ブラケット形状の加力エレメント３１は、前記係止部位３０に取り付けられると、その係止部位３０に対して長手軸心３００を中心としてピボット可能なものになる。この場合の長手軸心３００は、加力エレメンント３１に働く力がその軸心３００に沿って前記係止部位３０に挿入される、加力位置（force application location）３００を形成する。
【００５１】
図２Ａ〜図２Ｃないし図７Ａ〜図７Ｃには、様々な位置におけるクロージャ装置１が示されている。具体的に述べると、図２Ａ、図３Ａ、図４Ａ、図５Ａ、図６Ａ及び図７Ａはクロージャ装置１の斜視図；オープン状態における斜視図（図２Ａ）、クロージャ装置１の閉止動作のあいだの斜視図（図３Ａ、図４Ａ、図５Ａ及び図６Ａ）、ならびに閉止位置におけるクロージャ装置１の斜視図（図７Ａ）である。図２Ｂ、図３Ｂ、図４Ｂ、図５Ｂ、図６Ｂ及び図７Ｂは、対応する平面図であり、図２Ｃ、図３Ｃ、図４Ｃ、図５Ｃ、図６Ｃ及び図７Ｃは、対応する断面図である。
【００５２】
閉止前のオープン位置において、クロージャ部材２，３は、互いに切り離されている。第２のクロージャ部材３を第１のクロージャ部材２に対してその第１のクロージャ部材２の前記ベース２０と実質的に直交する閉止方向Ｘで近付ける（図２Ｃを参照）ことにより、クロージャ部材２，３を互いに取り付けることができる。
【００５３】
クロージャ装置１を閉止する際には、図３Ｃに示すように第２のクロージャ部材３が第１のクロージャ部材２に対して前記閉止方向Ｘに近付く。すると、クロージャ部材２，３の前記磁性部材２３，３３が、これらクロージャ部材２，３の近付き運動を支援する磁気吸引力（magnetic attraction force）を、それらクロージャ部材２，３が互いに磁気的に引っ張られるように生成する。このようにして、閉止動作が磁気的に支援される。第２のクロージャ部材３が第１のクロージャ部材２に近付くと、第２のクロージャ部材３が、自身の係止部位３０のうちの傾斜面(tilted face)３０６を介して、第１のクロージャ部材２の係止突起２１０のうちの傾斜面(tilted face)２１１と接触する。傾斜面３０６は、前記係止部位３０の前端において、当該係止部位３０の係止突起３０４とは反対側の位置に設けられている。
【００５４】
第２のクロージャ部材３が第１のクロージャ部材２にさらに近付くと、前記傾斜面３０６が、図４Ｃに示すように係止突起２１０のうちの前記傾斜面２１１に沿ってスライドする。これにより、前記係止部位３０が、係止突起２１０を通過する。
【００５５】
磁性部材２３，３３の互いを引き寄せる強度が増すにつれて、第２のクロージャ部材３は、前記支持エレメント３０３を第１のクロージャ部材２の前記ベース２０に近付けてその支持エレメント３０３を当該ベース２０に当接させるようにピボットすることができる（傾動方向Ｘ’）。この支持エレメント３０３は、前記ベース２０に当接すると、前記係止部位３０をそのベース２０上に支持するようになるので、第２のクロージャ部材３のさらなる近付き運動は、支持エレメント３０３が自身の遠端を前記ベース２０に沿ってスライドさせることによって導かれることとなる。これにより、特に、図５Ｃに示すように、前記係止部位３０の前面３０７が第１のクロージャ部材２の係止突起２１０を通過するよりも前にその係止部位３０の後面３０８（図５Ｃを参照）が前記ベース２０に設けられたブロッキングエレメント２４と接触するのを、防ぐことができる。この構成によれば、第２のクロージャ部材３が自身の閉止位置に達することを妨げ得る位置に、その第２のクロージャ部材３が自身の前記閉止部位３０でつっかえるのを防ぐことができる。具体的に述べると、前記係止部位３０がその前面３０７を、図５Ｃに示すように第１のクロージャ部材２の係止エレメント２１のうちの係止突起２１０を超えて案内されることにより、第２のクロージャ部材３が図６Ｃに示す位置に到達する。
【００５６】
図６Ｃの位置では、係止エレメント２１と係止突起２１０と前記ベース２０とによって形成されるＵ字形状の凹所に前記係止部位３０がその前面３０７で動き入ることによって、当該係止部位３０がその係止突起３０４で第１のクロージャ部材２の係止突起２１０と係合する。このときの係止部位３０は、係合方向Ｅで、前記Ｕ字形状の凹所との係合状態へと動き入っている。ここから、磁性部材２３，３３間の磁気吸引によって支援されながら、さらなる接近運動を行うことにより、クロージャ装置１は、図７Ｃに示す自身の閉止位置に到達する。このとき、前面３０７および後面３０８はいずれも第１のクロージャ部材２の前記ベース２０上において、前面３０７は係止エレメント２１に面し、後面３０８はブロッキングエレメント２４に面している。
【００５７】
係止突起２１０は第１のクロージャ部材２に強固に設けられており、かつ、係止突起３０４も第２のクロージャ部材３に強固に設けられていることから、閉止動作は単純な長手方向運動ではなくて様々な運動を伴う。具体的には、クロージャ部材２，３は、第一段階としてほぼ直線の閉止方向（closing direction）Ｘ（図２Ａを参照）に沿って互いに近付けられる。次に、第２のクロージャ部材３が、第１の傾動向き(tilting orientation)の傾動方向(tilting direction)Ｘ’（図４Ｃを参照）に傾動された後、第２の傾動向きの傾動方向Ｘ’’（図５Ｃ）に逆傾動（tilted back）されることを経て、図７Ｃの閉止位置に到達する。
【００５８】
この閉止位置において、第２のクロージャ部材３は、当該第２のクロージャ部材３の係止部位３０が第１のクロージャ部材２のうちの係止突起２１０を保持する係止エレメント２１とポジティブ・ロック機構によって係合することにより、その第１のクロージャ部材２に保持されている。このとき、クロージャ部材２，３は、クロージャ装置１が意図せず開くことのないように前記磁性部材２３，３３によっても互いに保持されている。
【００５９】
ブラケット形状の加力エレメント３１が、前記加力位置３００で第２のクロージャ部材３の前記係止部位３０に取り付けられている（図７Ｃを参照）ことにより、大きな荷重が第２のクロージャ部材３に働いて意図せず開いてしまうのを、効果的に防ぐことができる。加力位置３００（ブラケット形状の加力エレメント３１の、ピボット・ライン（pivoting line）に相当する）は、係合方向Ｅに沿ってみて、前記係止部位３０の前面３０７と第１のクロージャ部材２の磁性部材２３の中心２３０との間に存在するので、加力エレメント３１を介して、閉止方向Ｘと反対の方向の力成分を有する力が前記係止部位３０に導入されたとしても、その「てこアーム」(leverage arm)は前記磁性部材２３，３３間に働く磁気吸引力の「てこアーム」よりも短いので、大きな荷重であっても、その荷重によってクロージャ装置１が開いてしまうのを防ぐことができる。
【００６０】
さらに、第１のクロージャ部材２の前記ベース２０に強固に設けられたブロッキングエレメント２４により、第２のクロージャ部材３の、係合方向Ｅと反対の方向への変位運動を防ぐこともできる。以上の理由から、加力エレメント３１を介して第２のクロージャ部材３に実質上どの方向で荷重が導入されたとしても、そのような荷重の作用によってクロージャ装置１が開くことはない。例えば、第２のクロージャ部材３に対して係合方向Ｅと実質的に反対の方向に荷重が働いたとしても、前記係止部位３０がその後面３０８でブロッキングエレメント２４と接触するので、この係止部位３０は係止エレメント２１との係合状態から動き外れることができない。
【００６１】
結果として、大きな荷重に耐えることが可能な、例えば安全クロージャ等に特に適した、高強度クロージャ装置１が提供される。また、クロージャ装置１は簡単な構造をしている（simple construction）ことから、取り扱い易く、高い信頼性を有し、さらに、塵やホコリの影響を受け難いので、様々な環境における様々な条件下での、広範囲の多種多様なアプリケーションに適したものとなる。
【００６２】
図７Ｃに示すように、クロージャ装置１が自身の閉止位置に達したことについてのフィードバックを得られるようにするために、磁場センサ４が、例えば第１のクロージャ部材２に設けられてもよい（一変形例として、第２のクロージャ部材３に設けられてもよい）。一例として、磁場センサ４は、クロージャ装置１が自身の閉止位置に正確に達したか否かをそのクロージャ装置１の閉止位置での磁場から導き出せるように、磁石配置構造２３，３３の磁場強度を感知可能な磁場センサとされる。そして、このことは、例えば光、音響音（acoustic tone）、その他の任意の手法などによってユーザに知らせられ得る。
【００６３】
クロージャ装置１を開放するためには、ユーザが前記係止部位３０のハンドル３０２を利用して（act on）第２のクロージャ部材３を図７Ｃに示す開放方向Ｙ１にピボットすることにより、その第２のクロージャ部材３を傾動させて当該第２のクロージャ部材３をブロッキングエレメント２４との係止関係（locking relation）から外すことができる。このように第２のクロージャ部材３を傾動させることにより、磁性部材２３，３３同士が互いに外れて、さらに、前記係止部位３０が傾動して係止エレメント２１との係合状態から外れるので、第２のクロージャ部材３を第１のクロージャ部材２から切り離すことが可能となる。
【００６４】
ハンドル３０２は、磁性部材２３，３３同士の簡単かつ円滑な切離しを可能にするレバーアーム（lever arm）としても機能する。
【００６５】
傾動運動(tilting movement)が容易になるように、図示の前記係止部位３０は、係止突起２１０の外縁(outer edge)２１２に向く前縁に、丸みが形成されている。このように丸みが形成された前縁を有する前記係止部位３０は、クロージャ装置１を開放するために第２のクロージャ部材３を傾動させた際に、係止突起２１０の前記外縁２１２から滑り出す（slid past）ことができる。
【００６６】
さらに、クロージャ装置１は、第２のクロージャ部材３を図７Ｂに示す開放方向Ｙ２にスライドさせることによっても開放可能である。このためには、ブラケット形状の加力エレメント３１を、係止エレメント２１の外側を囲わなくなる位置に動かす必要がある。これにより、第２のクロージャ部材３をその係止突起３０４と共に、その第２のクロージャ部材３が第１のクロージャ部材２との係合状態から外れるまで、当該第１のクロージャ部材２の係止突起２１０に沿って自由にスライドさせることができる。
【００６７】
第２のクロージャ部材３の前記係止部位３０および第１のクロージャ部材２は、押出等によってプラスチックまたは金属から製造することができ、そのような部材は、作製が簡単かつ経済的である押出形材から簡単に製作することできる。
【００６８】
これまでに説明してきた実施形態の一変形例では、ブラケット形状の加力エレメント３１が、前記係止部位３０に強固に取り付けられたものとされる。
【００６９】
図８Ａ及び図８Ｂに示す他の実施形態では、第１のクロージャ部材２の前記ベース２０に、ブロッキングエレメント２４が設けられていない。そのため、前述した実施形態と比べて、第２のクロージャ部材３の前記係止部位３０を、クロージャ装置１を閉止する際に第２のクロージャ部材３がブロッキングエレメント２４と係止突起２１０との間でつっかえるのを防ぐ支持エレメント３０３を含むものとする必要がない。これ以外の点に関しては、図８Ａ及び図８Ｂの実施形態は前述した実施形態と同じなので、これまでの説明を参照されたい。
【００７０】
図９Ａ〜図９Ｄの実施形態では、加力エレメント３１がワイヤ、ロープ、チェーン、ベルトなどの形状で設けられており、かつ、軸体（axis）３４を介して第２のクロージャ部材３の前記係止部位３０に取り付けられている。具体的に述べると、軸体３４が前記係止部位３０における開口３０５Ａ，３０５Ｂに挿入されて、加力エレメント３１が前記係止部位３０における凹部３４０の位置でその軸体３４に取り付けられている。クロージャ装置１の閉止位置において、加力エレメント３１は、図９Ｃに示すように前記係止部位３０における前記凹部３４０と第１のクロージャ部材３の係止エレメント２１における凹部２１３を伸びている(reach through) 。
【００７１】
つまり、図９Ａ〜図９Ｄの実施形態では、加力エレメント３１が軸体３４を介して前記係止部位３０にピボット可能に取り付けられている。この加力エレメント３１は軸体３４の中央点に働きかけるものであり、その中央点を介して力が前記係止部位３０に導入される。
【００７２】
前記係止部位３０に凹部３４０が形成されていることにより、当該係止部位３０には２つの磁性部材３３Ａ，３３Ｂが、その係止部位３０における開口３０１Ａ，３０１Ｂにそれぞれ収容されている。
【００７３】
これ以外の点に関しては、クロージャ装置１の機能は図１Ａ及び図１Ｂないし図７Ａ〜図７Ｃの実施形態と同じなので、既述の説明を参照されたい。
【００７４】
図１０Ａ〜図１０Ｃ及び図１１Ａ〜図１１Ｃの実施形態は、前記係止部位３０にハンドル（図１Ａ及び図１Ｂないし図７Ａ〜図７Ｃの実施形態での符号３０２）が設けられていない点のみで、図１Ａ及び図１Ｂないし図７Ａ〜図７Ｃの実施形態と異なる。よって、ユーザは、前記係止部位３０をピボットしてクロージャ装置１を開放するにあたって、当該係止部位３０を簡単に掴むことができない。むしろ、この場合のクロージャ装置１を開放するための好適な開放動作は、前記開放方向Ｙ２または前記開放方向Ｙ２と反対の方向への直線的な変位運動（linear displacement movement）である。
【００７５】
この場合の開放動作は、加力エレメント３１が係止エレメント２１と干渉して前記開放方向Ｙ２または前記開放方向Ｙ２と反対の方向への第２のクロージャ部材３のスライドが妨げられることのないように、ブラケット形状の加力エレメント３１が図１１Ａ〜図１１Ｃに示す位置に動かされた後でのみ可能となる。
【００７６】
図１２Ａ〜図１２Ｃの実施形態では、加力エレメント（図１２Ａ〜図１２Ｃには図示されていない）は、当該加力エレメントのピボット軸心を形成する前記軸線３００と直交する方向から当該加力エレメントを留め入れ込む（clipped into）ことができるようにその外周（circumferentially）が開いた開口３０５に、挿入することができる。
【００７７】
さらに、第１のクロージャ部材２の前記ベース２０に、サイドエレメント２５Ａ，２５Ｂが設けられている。サイドエレメント２５Ａ，２５Ｂは、クロージャ装置１の閉止位置において、第１のクロージャ部材２の前記ベース２０に対する第２のクロージャ部材３の側方運動を阻止するように当該サイドエレメント２５Ａ，２５Ｂ間にその第２のクロージャ部材３を受け入れる。よって、クロージャ装置１は、図１２Ｂに示す開放方向Ｙ１に第２のクロージャ部材３をピボットする（傾動運動に相当する）ことによってのみ、開放することができる。
【００７８】
これ以外の点に関しては、クロージャ装置１の基本的な機能は図１Ａ及び図１Ｂないし図７Ａ〜図７Ｃの実施形態と同じなので、既述の説明を参照されたい。
【００７９】
図１３Ａ〜図１３Ｃないし図１５Ａ〜図１５Ｃの実施形態では、加力エレメント３１が、その一方の側部で前記係止部位３０に強固に取り付けられている。つまり、加力エレメント３１は、閉止位置（図１４Ａ〜図１４Ｃを参照）において、係止エレメント２１のうちの一つの側でその係止エレメント２１の外側をアーム３１２で囲っている（reach around）。したがって、クロージャ装置１は、係止エレメント２１に沿って前記係止部位３０をスライドさせることで第２のクロージャ部材３を図１５Ａ〜図１５Ｃに示すように開放方向Ｙ２に動かし、これにより第２のクロージャ部材３を第１のクロージャ部材２との係合状態から外すことによって開放することができる。加力エレメント３１の前記アーム３１２が係止エレメント２１のうちの前記一つの側に位置するので、前記開放方向Ｙ２への開放動作のみが可能であり、前記開放方向Ｙ２と反対の方向への開放動作は可能でない。
【００８０】
また、前記係止部位３０にハンドルが設けられていないため、第２のクロージャ部材３を傾動させて当該第２のクロージャ部材３をブロッキングエレメント２４及び係止エレメント２１との係合状態から外すことによってクロージャ装置１の開放動作を行うことは、控えめに言っても不便である。よって、この実施形態での好適な開放動作は、図１５Ａ〜図１５Ｃに示す直線的な開放動作である。
【００８１】
これ以外の点に関しては、この実施形態の機能は図１Ａ及び図１Ｂないし図７Ａ〜図７Ｃの実施形態と同じなので、既述の説明を参照されたい。
【００８２】
図１６Ａ〜図１６Ｃの実施形態では、磁石２３Ａ，２３Ｂ，３３Ａ，３３Ｂが、第１のクロージャ部材２および第２のクロージャ部材３において相対する（opposite）磁極で、係合方向Ｅに沿って向かい合う。ここでは、磁石２３Ａ，２３Ｂが、第１のクロージャ部材２のうちの収容ボディ（reception body）２６における開口２６０Ａ，２６０Ｂに収容されている。その収容ボディ２６の各側には、係止エレメント２１Ａ，２１Ｂが隣設（adjoin）されている。
【００８３】
好ましくは、磁石２３Ａと磁石２３Ｂとは、相対する磁極（例えば、磁石２３ＡはＮ極、磁石２３ＢはＳ極）で第２のクロージャ部材３側に面するように、配向が互いに異なっている。
【００８４】
磁石３３Ａ，３３Ｂは、第２のクロージャ部材３のうちの収容ボディ３５における開口３５０Ａ，３５０Ｂに収容されている。好ましくは、磁石３３Ａと磁石３３Ｂとは、磁石２３Ａ，２３Ｂと同様に、相対する磁極（例えば、磁石３３ＡはＳ極、磁石３３ＢはＮ極）で第１のクロージャ部材２に面する。
【００８５】
磁石２３Ａ，２３Ｂ，３３Ａ，３３Ｂは、クロージャ装置１の閉止動作時に、第２のクロージャ部材３が係合方向Ｅに引っ張られて第１のクロージャ部材２の係止エレメント２１Ａ，２１Ｂとの係合状態に入るように、その係合方向Ｅに沿って磁気吸引力を生成する。このとき、前記係止部位３０には傾斜面３０９が設けられており、この傾斜面３０９は、閉止動作時にブロッキングエレメント２４Ａ，２４Ｂの傾斜面(slanted face)２４０に乗り上げる（run onto）ことができるので、ブロッキングエレメント２４Ａ，２４Ｂが第２のクロージャ部材３の閉止動作を妨げることはない。
【００８６】
磁石２３Ａ，２３Ｂ，３３Ａ，３３Ｂの配置構成が異なる点を除けば、この実施形態は原則として図１Ａ及び図１Ｂないし図７Ａ〜図７Ｃの実施形態と同じなので、既述の説明を参照されたい。
【００８７】
図１７Ａ〜図１７Ｄの実施形態では、ケーブル、ロープ、チェーン等の形状の加力エレメント３１が、固定エレメント（fixing element）３６を介して第２のクロージャ部材３の前記係止部位３０に取り付けられている。このときの加力エレメント３１は、その固定エレメント３６における開口３６０と前記係止部位３０における開口３６２とを、クロージャ装置１の閉止位置において第１のクロージャ部材２の係止エレメント２１Ａ，２１Ｂ間の凹部２１３を通るように通過している。好ましくは、ケーブル、ロープ、チェーン等の形状のこの場合の加力エレメント３１は可撓体であり、自身の可撓性によって第２のクロージャ部材３の前記係止部位３０に対してピボット可能なものとされる。
【００８８】
加力エレメント３１は、固定エレメント３６を前記係止部位３０における開口３６１に挿入し、当該加力エレメント３１をその固定エレメント３６における前記開口３６０と前記係止部位３０における前記開口３６２とに挿通することにより、前記係止部位３０に固定される。このとき、加力エレメント３１に取り付けられたリング３７が、固定エレメント３６における前記開口３６０をその加力エレメント３１が滑り抜けるのを防ぐ。このようにして、加力エレメント３１が、固定エレメント３６と前記係止部位３０とに保持される。
【００８９】
加力エレメント３１自体の構成、および第２のクロージャ部材３の前記係止部位３０へのこの加力エレメント３１の固定構成以外については、この実施形態の主な機能は図１Ａ及び図１Ｂないし図７Ａ〜図７Ｃの実施形態と同じなので、既述の説明を参照されたい。
【００９０】
図１８Ａ〜図１８Ｃないし図２１Ａ〜図２１Ｃの実施形態では、弾性舌体（elastic tongues）形状のブロッキングエレメント２４Ａ，２４Ｂが、第１のクロージャ部材２の前記ベース２０に設けられている。つまり、このようなブロッキングエレメント２４Ａ，２４Ｂは、原則として既述のブロッキングエレメント２４と同じ目的を果たすものであると同時に第１のクロージャ部材２の前記ベース２０に弾性的（elastically）に設けられており、クロージャ装置１を閉止する際にこれらブロッキングエレメント２４Ａ，２４Ｂに前記係止部位３０が接触する（例えば図１９Ｃなどを参照）と、撓み変形（deflected）する。
【００９１】
前記係止部位３０は、ブロッキングエレメント２４Ａ，２４Ｂを撓み変形させることにより、第１のクロージャ部材２の係止エレメント２１との係合状態に動き入り、図２０Ａ〜図２０Ｃに示す係止位置に到達する。第２のクロージャ部材３がその係止突起３０４で第１のクロージャ部材２の係止突起２１０との係合状態に入ると、係止エレメント２４Ａ，２４Ｂは、自身の本来の位置にしなり戻り（snap back）、つまり、前記係止部位３０のうちの後面３０８に面するので、第２のクロージャ部材３が第１のクロージャ部材２の係止エレメント２１との係合状態から係合方向Ｅと反対の方向に外れるのを阻止することができる。すなわち、ブロッキングエレメント２４Ａ，２４Ｂは、第２のクロージャ部材３の閉止位置で、その第２のクロージャ部材３を第１のクロージャ部材２に対して固定される（secure）。
【００９２】
クロージャ装置１を開放するには、第２のクロージャ部材３を、第１のクロージャ部材２に対して図２１Ｃに示す開放方向Ｙ１にピボットすることにより、第２のクロージャ部材３がその係止突起３０４で第１のクロージャ部材２の係止突起２１０との係合状態にあるのを外して、クロージャ部材２，３同士を互いに切り離すことができる。
【００９３】
これ以外の点に関しては、クロージャ装置１の機能は図１Ａ及び図１Ｂないし図７Ａ〜図７Ｃの実施形態と同じなので、既述の説明を参照されたい。
【００９４】
図２２Ａ〜図２２Ｃの実施形態は図１４Ａ〜図１４Ｃの実施形態と類似しているが、加力エレメント３１が第２のクロージャ部材３の前記係止部位３０に２つのアーム３１２，３１３を介して強固に取り付けられている点で異なる。これらのアーム３１２，３１３は、前記係止部位３０の互いに反対側に取り付けられている。
【００９５】
図２２Ａ〜図２２Ｃのクロージャ装置１は、閉止動作については図１４Ａ〜図１４Ｃの実施形態と同じであるが、ユーザがハンドル３０２を利用し、そのハンドル３０２をピボットして第１のクロージャ部材２の係止エレメント２１との係合状態から外すこと、すなわち、そのハンドル３０２を第１のクロージャ部材２に対して傾動させることにより、開放させることが可能である。また、この場合の加力エレメント３１は、係止エレメント２１のうちの両側でその係止エレメント２１の外側を囲っている（reach around）ので、側方運動によって開放動作を行うことはできない。具体的に述べると、第２のクロージャ部材３と第１のクロージャ部材２との間で水平方向の変位運動を行うことができない。
【００９６】
本発明を幾つかの具体的な実施形態を参照しながら説明してきたが、本発明はこれらの実施形態に限定されない。むしろ、本発明は、本明細書で説明していない全く異なる様式でも実施可能である。
【００９７】
具体的に述べると、これまでのクロージャ装置の閉止動作の説明は、第２のクロージャ部材を第１のクロージャ部材に近付ける場合に基づいて述べたものであったが、閉止動作では原則としてクロージャ部材の双方を互いに近付けることが可能である点に留意すべきである。この点からみて、クロージャ部材同士が近付くにあたって重要なのはクロージャ部材間の相対運動のみであり、実際にどちらのクロージャ部材を動かすのかということは重要でない。
【００９８】
さらに、既述の実施形態では、クロージャ部材がベルト受けを備えるか、あるいは、クロージャ部材がベルト受けに取り付けられるものとすることにより、クロージャ装置を、ベルト同士を互いに連結するものとして説明した。しかしながら、前記クロージャ装置は、同じく部品同士を互いに連結するものであっても、それとは全く異なる目的に適用することも可能である点に留意されたい。
以下に、本発明の実施態様を記載する。
（態様１）２つの部品を解除可能に互いに連結するクロージャ装置（１）であって、
−剛体である第１の係止突起（２１０）を有する第１のクロージャ部材（２）と、
−前記第１のクロージャ部材（２）に取付可能であり、閉止位置では前記第１のクロージャ部材（２）に保持され、かつ、剛体である第２の係止突起（３０４）を有するものであり、前記第２の係止突起（３０４）は、前記第１の係止突起（２１０）と係合方向（Ｅ）に係合可能であると共に、前記閉止位置において前記第１の係止突起（２１０）とポジティブ・ロック機構によって係合する、第２のクロージャ部材（３）と、を備え、
−前記第１のクロージャ部材（２）が第１の磁性部材（２３，２３Ａ，２３Ｂ）を含み、前記第２のクロージャ部材（３）が第２の磁性部材（３３，３３Ａ，３３Ｂ）を含み、前記第１の磁性部材（２３，２３Ａ，２３Ｂ）および前記第２の磁性部材（３３，３３Ａ，３３Ｂ）は、前記クロージャ装置（１）を閉止するために前記第２のクロージャ部材（３）が前記第１のクロージャ部材（２）に取り付けられるときに、磁気的に互いに吸引するように構成されている、クロージャ装置（１）において、
−前記第２のクロージャ部材（３）に力を導入するように構成された加力エレメント（３１）を備えており、前記加力エレメント（３１）が、前記第２のクロージャ部材（３）のうちの、前記第２の係止突起（３０４）近傍の加力位置（３００）にピボット可能に取り付けられていることを特徴とする、クロージャ装置（１）。
（態様２）  態様１に記載のクロージャ装置（１）において、前記加力エレメント（３１）が、前記第２のクロージャ部材（３）のうちの、前記加力位置（３００）を構成するピボット軸心を中心としてピボット可能なブラケットであることを特徴とする、クロージャ装置（１）。
(態様３)  態様１に記載のクロージャ装置（１）において、前記加力エレメント（３１）が、前記第２のクロージャ部材（３）のうちの、前記加力位置（３００）を構成するピボット点を中心としてピボット可能なロープ、チェーンまたはケーブルであることを特徴とする、クロージャ装置（１）。
（態様４）  態様１から３のいずれか一つの態様に記載のクロージャ装置（１）において、前記加力エレメント（３１）が、前記第２のクロージャ部材（３）に調節可能に取り付けられていることを特徴とする、クロージャ装置（１）。
（態様５）  態様１から４のいずれか一つの態様に記載のクロージャ装置（１）において、前記第１のクロージャ部材（２）が、ベース（２０）および前記ベース（２０）に強固に取り付けられた係止エレメント（２１）を含み、前記係止エレメント（２１）が、前記第１の係止突起（２１０）を保持しており、前記第２のクロージャ部材（３）が、前記第２の係止突起（３０４）を保持する係止部位（３０）を含み、前記係止部位（３０）が、前記閉止位置において前記第１のクロージャ部材（２）の前記係止エレメント（２１）に面する前面（３０７）を有していることを特徴とする、クロージャ装置（１）。
（態様６）  態様５に記載のクロージャ装置（１）において、前記第２のクロージャ部材（３）における前記加力位置（３００）が、前記閉止位置において、前記係合方向（Ｅ）と反対の方向でみて、前記前面（３０７）と前記第１のクロージャ部材（２）の前記第１の磁性部材（２３）の中心（２３０）との間に位置することを特徴とする、クロージャ装置（１）。
（態様７）  態様５または６に記載のクロージャ装置（１）において、前記第１の係止突起（２１０）が設けられた前記係止エレメント（２１）と前記ベース（２０）とが、Ｕ字形状の凹所を形成し、前記クロージャ装置の閉止位置において、前記第２の係止突起（３０４）が設けられた前記係止部位（３０）が、前記凹所に係合していることを特徴とする、クロージャ装置（１）。
（態様８）  態様７に記載のクロージャ装置（１）において、前記第１の係止突起（２１０）が、前記Ｕ字形状の凹所の第１の脚体を形成しており、前記ベース（２０）が、前記Ｕ字形状の凹所の第２の脚体を形成しており、前記第１の脚体および前記第２の脚体が、互いに実質的に平行に延びていることを特徴とする、クロージャ装置（１）。
（態様９）  態様６から８のいずれか一つの態様に記載のクロージャ装置（１）において、前記第１のクロージャ部材（２）が、ブロッキングエレメント（２４，２４Ａ，２４Ｂ）を有しており、前記閉止位置では、前記ブロッキングエレメント（２４，２４Ａ，２４Ｂ）が、前記第２のクロージャ部材（３）のうちの前記係合方向（Ｅ）と反対の方向に向く後面（３０８）に面し、前記ブロッキングエレメント（２４，２４Ａ，２４Ｂ）は、前記クロージャ装置（１）が前記閉止位置にあるときに前記第２の係止突起（３０４）が前記第１の係止突起（２１０）との係合状態から前記係合方向（Ｅ）と反対の方向に動き外れるのを防ぐように構成されていることを特徴とする、クロージャ装置（１）。
（態様１０）  態様９に記載のクロージャ装置（１）において、前記第２のクロージャ部材（３）が、前記係止部位（３０）に取り付けられた支持エレメント（３０３）を有しており、前記支持エレメント（３０３）が、前記係合方向（Ｅ）と反対の方向に前記係止部位（３０）を越えて延びており、前記支持エレメント（３０３）は、前記第２の係止突起（３０４）が前記第１の係止突起（２１０）と係合するよりも前に前記後面（３０８）が前記ブロッキングエレメント（２４，２４Ａ，２４Ｂ）と接触するのを防ぐように構成されていることを特徴とする、クロージャ装置（１）。
（態様１１）  態様９または１０に記載のクロージャ装置（１）において、前記ブロッキングエレメント（２４，２４Ａ，２４Ｂ）は、前記クロージャ装置（１）を閉止するために前記第２のクロージャ部材（３）が前記第１のクロージャ部材（２）に取り付けられるときに撓み変形可能であるように、前記第１のクロージャ部材（２）の前記ベース（２０）に弾性的に設けられていることを特徴とする、クロージャ装置（１）。
（態様１２）  態様１から１１のいずれか一つの態様に記載のクロージャ装置（１）において、
前記クロージャ装置（１）を閉止するときに前記第２のクロージャ部材（３）を前記係合方向（Ｅ）と直交する閉止方向（Ｘ）で前記第１のクロージャ部材（２）に取り付ける際に、前記第２の係止突起（３０４）を前記第１の係止突起（２１０）を越えて案内するために、
−前記第１の係止突起（２１０）が、前記閉止位置では前記第２の係止突起（３０４）に面さない側で、傾斜面（２１１）を有しており、および／または、
−前記第２の係止突起（３０４）は、前記閉止位置では前記第１の係止突起（２１０）に面さない側で、傾斜面（３０６）を有している、
ことを特徴とする、クロージャ装置（１）。
（態様１３）  態様１から１２のいずれか一つの態様に記載のクロージャ装置（１）において、前記クロージャ装置（１）を開放するにあたって、前記第２のクロージャ部材（３）は、前記第２の係止突起（３０４）を前記第１の係止突起（２１０）から外すために、
−前記第２の係止突起（３０４）と共に、前記第１のクロージャ部材（２）の前記第１の係止突起（２１０）を中心としてピボット可能であるか、あるいは、
−前記第２の係止突起（３０４）が前記第１の係止突起（２１０）に沿ってスライドするように、変位可能である、
ことを特徴とする、クロージャ装置（１）。
（態様１４）  態様１から１３のいずれか一つの態様に記載のクロージャ装置（１）において、前記加力エレメント（３１）が、ベルトを前記第２のクロージャ部材（３）に固定するベルト受けを構成していることを特徴とする、クロージャ装置（１）。
（態様１５）  態様１から１４のいずれか一つの態様に記載のクロージャ装置（１）において、前記第１のクロージャ部材（２）が、ベルトを前記第１のクロージャ部材（２）に固定するベルト受け（２０１）を保持していることを特徴とする、クロージャ装置（１）。
（態様１６）  態様１から１５のいずれか一つの態様に記載のクロージャ装置（１）において、前記加力エレメント（３１）が、２つの端部（３１０，３１１）を有するブラケットであり、前記加力エレメント（３１）は、前記２つの端部（３１０，３１１）を介して、前記第２のクロージャ部材（３）における少なくとも１つの開口（３０５，３０５Ａ，３０５Ｂ）にピボット可能に取り付けられており、この取付は、前記ブラケットに配置されて前記端部（３１０，３１１）が前記少なくとも１つの開口（３０５，３０５Ａ，３０５Ｂ）から外れるのを防ぐ固定エレメント（３２）によって確実なものにされることを特徴とする、クロージャ装置（１）。
（態様１７）  態様１から１６のいずれか一つの態様に記載のクロージャ装置（１）において、前記磁性部材（２３，２３Ａ，２３Ｂ，３３，３３Ａ，３３Ｂ）が、前記係合方向（Ｅ）に沿って吸引力を生成するように、あるいは、前記係合方向（Ｅ）と直交する方向に吸引力を生成するように設けられていることを特徴とする、クロージャ装置（１）。
（態様１８）  態様１から１７のいずれか一つの態様に記載のクロージャ装置（１）において、さらに、
前記磁性部材（２３，２３Ａ，２３Ｂ，３３，３３Ａ，３３Ｂ）によって生成される磁場を前記閉止位置において感知する磁場センサ（４）、を備えることを特徴とする、クロージャ装置（１）。
（態様１９）  ２つの部品を解除可能に互いに連結するクロージャ装置（１）であって、
−剛体である第１の係止突起（２１０）を有する第１のクロージャ部材（２）と、
−前記第１のクロージャ部材（２）に取付可能な第２のクロージャ部材（３）であって、閉止位置では前記第１のクロージャ部材（２）に保持され、かつ、剛体である第２の係止突起（３０４）を有するものであり、前記第２の係止突起（３０４）は、前記第１の係止突起（２１０）と係合方向（Ｅ）に係合可能であると共に、前記閉止位置において前記第１の係止突起（２１０）とポジティブ・ロック機構によって係合する、第２のクロージャ部材（３）と、を備え、
−前記第１のクロージャ部材（２）が第１の磁性部材（２３，２３Ａ，２３Ｂ）を含み、前記第２のクロージャ部材（３）が第２の磁性部材（３３，３３Ａ，３３Ｂ）を含み、前記第１の磁性部材（２３，２３Ａ，２３Ｂ）および前記第２の磁性部材（３３，３３Ａ，３３Ｂ）は、前記クロージャ装置（１）を閉止するために前記第２のクロージャ部材（３）が前記第１のクロージャ部材（２）に取り付けられるときに、磁気的に互いに吸引するように構成されている、クロージャ装置（１）において、
前記第１のクロージャ部材（２）が、ブロッキングエレメント（２４，２４Ａ，２４Ｂ）を有しており、前記閉止位置では、前記ブロッキングエレメント（２４，２４Ａ，２４Ｂ）が、前記第２のクロージャ部材（３）のうちの前記係合方向（Ｅ）と反対の方向に向く後面（３０８）に面し、前記ブロッキングエレメント（２４，２４Ａ，２４Ｂ）は、前記クロージャ装置（１）が閉止位置にあるときに前記第２の係止突起（３０４）が前記第１の係止突起（２１０）との係合状態から前記係合方向（Ｅ）と反対の方向に動き外れるのを防ぐように構成されていることを特徴とする、クロージャ装置（１）。
（態様２０）態様１９に記載のクロージャ装置（１）において、前記第２のクロージャ部材（３）に力を導入するように構成された加力エレメント（３１）が、前記第２のクロージャ部材（３）のうちの加力位置（３００）にピボット可能に、あるいは、強固に取り付けられていることを特徴とする、クロージャ装置（１）。
【符号の説明】
【００９９】
１                            クロージャ装置
２                            クロージャ部材
２０                          ベース
２００                        開口
２０１                        ベルト受け
２１０                        係止突起
２１１                        傾斜面
２１２                        係止突起の外縁
２１３                        凹部
２２                          磁石ハウジング
２２０                        開口
２３，２３Ａ，２３Ｂ          磁性部材
２３０                        中心
２４，２４Ａ，２４Ｂ          ブロッキングエレメント
２４０                        傾斜面
２５Ａ，２５Ｂ                サイドエレメント
２６                          収容ボディ
２６０Ａ，２６０Ｂ            開口
３                            クロージャ部材
３０                          係止部位
３００                        加力位置（線、点）
３０１，３０１Ａ，３０１Ｂ    開口
３０２                        ハンドル
３０３                        支持エレメント
３０４                        係止突起
３０５，３０５Ａ，３０５Ｂ    開口
３０６                        傾斜面
３０７                        前面
３０８                        後面
３０９                        傾斜面
３１                          加力エレメント
３１０，３１１                端部
３１２，３１３                アーム
３２                          固定エレメント
３３，３３Ａ，３３Ｂ          磁性部材
３４                          軸体
３４０                        凹部
３５                          収容ボディ
３５０Ａ，３５０Ｂ            開口
３６                          固定エレメント
３６０                        開口
３６１                        開口
３６２                        開口
３７                          リング
４                            磁場センサ
Ｅ                            係合方向
Ｘ                            閉止方向
Ｘ’，Ｘ’’                  傾動運動
Ｙ１，Ｙ２                    開放方向
【図１Ａ】
0006286534.tif 000002
【図１Ｂ】
0006286534.tif 000003
【図２Ａ】
0006286534.tif 000004
【図２Ｂ】
0006286534.tif 000005
【図２Ｃ】
0006286534.tif 000006
【図３Ａ】
0006286534.tif 000007
【図３Ｂ】
0006286534.tif 000008
【図３Ｃ】
0006286534.tif 000009
【図４Ａ】
0006286534.tif 000010
【図４Ｂ】
0006286534.tif 000011
【図４Ｃ】
0006286534.tif 000012
【図５Ａ】
0006286534.tif 000013
【図５Ｂ】
0006286534.tif 000014
【図５Ｃ】
0006286534.tif 000015
【図６Ａ】
0006286534.tif 000016
【図６Ｂ】
0006286534.tif 000017
【図６Ｃ】
0006286534.tif 000018
【図７Ａ】
0006286534.tif 000019
【図７Ｂ】
0006286534.tif 000020
【図７Ｃ】
0006286534.tif 000021
【図８Ａ】
0006286534.tif 000022
【図８Ｂ】
0006286534.tif 000023
【図９Ａ】
0006286534.tif 000024
【図９Ｂ】
0006286534.tif 000025
【図９Ｃ】
0006286534.tif 000026
【図９Ｄ】
0006286534.tif 000027
【図１０Ａ】
0006286534.tif 000028
【図１０Ｂ】
0006286534.tif 000029
【図１０Ｃ】
0006286534.tif 000030
【図１１Ａ】
0006286534.tif 000031
【図１１Ｂ】
0006286534.tif 000032
【図１１Ｃ】
0006286534.tif 000033
【図１２Ａ】
0006286534.tif 000034
【図１２Ｂ】
0006286534.tif 000035
【図１２Ｃ】
0006286534.tif 000036
【図１３Ａ】
0006286534.tif 000037
【図１３Ｂ】
0006286534.tif 000038
【図１３Ｃ】
0006286534.tif 000039
【図１４Ａ】
0006286534.tif 000040
【図１４Ｂ】
0006286534.tif 000041
【図１４Ｃ】
0006286534.tif 000042
【図１５Ａ】
0006286534.tif 000043
【図１５Ｂ】
0006286534.tif 000044
【図１５Ｃ】
0006286534.tif 000045
【図１６Ａ】
0006286534.tif 000046
【図１６Ｂ】
0006286534.tif 000047
【図１６Ｃ】
0006286534.tif 000048
【図１７Ａ】
0006286534.tif 000049
【図１７Ｂ】
0006286534.tif 000050
【図１７Ｃ】
0006286534.tif 000051
【図１７Ｄ】
0006286534.tif 000052
【図１８Ａ】
0006286534.tif 000053
【図１８Ｂ】
0006286534.tif 000054
【図１８Ｃ】
0006286534.tif 000055
【図１９Ａ】
0006286534.tif 000056
【図１９Ｂ】
0006286534.tif 000057
【図１９Ｃ】
0006286534.tif 000058
【図２０Ａ】
0006286534.tif 000059
【図２０Ｂ】
0006286534.tif 000060
【図２０Ｃ】
0006286534.tif 000061
【図２１Ａ】
0006286534.tif 000062
【図２１Ｂ】
0006286534.tif 000063
【図２１Ｃ】
0006286534.tif 000064
【図２２Ａ】
0006286534.tif 000065
【図２２Ｂ】
0006286534.tif 000066
【図２２Ｃ】
0006286534.tif 000067